(57)【要約】  切り替え方法は、ユーザ機器（ＵＥ）のサービング基地局がソース基地局からターゲット基地局に切り替わるときに、ソース基地局が切り替え要求メッセージをターゲット基地局に送信することであって、この切り替え要求メッセージが、ＵＥのソース基地局によって構成された一つ以上のデータ無線ベアラ（ＤＲＢ）の情報及びＵＥのコアネットワーク側によって構成された一つ以上のフローサービスの品質情報を運ぶことと、ターゲット基地局によって送信された切り替え要求確認応答メッセージを、ソース基地局が受信することであって、この切り替え要求確認応答メッセージが、ＵＥのターゲット基地局によって生成された第１のＤＲＢ構成情報を運ぶことと、ソース基地局が、第１のＤＲＢ構成情報を運ぶＲＲＣ接続再構成メッセージをＵＥに送信することとを含む。切り替え装置も開示される。【選択図】図３
2019533385.tif 000002
【特許請求の範囲】
【請求項１】
ユーザ機器（ＵＥ）がソース基地局からターゲット基地局にハンドオーバされているときに、前記ソース基地局によってハンドオーバ要求メッセージを前記ターゲット基地局に送信することであって、前記ハンドオーバ要求メッセージが、前記ＵＥの前記ソース基地局によって構成された一つ以上のデータ無線ベアラ（ＤＲＢ）情報項目及び前記ＵＥのコアネットワーク側によって構成された一つ以上のフローサービス品質（ＱｏＳ）情報項目を運ぶことと、
前記ターゲット基地局によって送信されたハンドオーバ要求確認応答メッセージを、前記ソース基地局によって受信することであって、前記ハンドオーバ要求確認応答メッセージが、前記ＵＥの前記ターゲット基地局によって前記ハンドオーバ要求メッセージに従って生成された第１のＤＲＢ構成情報を運ぶことと、
前記ソース基地局によって、前記第１のＤＲＢ構成情報を運ぶ無線リソース制御（ＲＲＣ）接続再構成メッセージを前記ＵＥに送信することであって、前記第１のＤＲＢ構成情報が、前記ＵＥによって無線リソースを構成するために使用されることとを含んでいる、ハンドオーバ方法。
【請求項２】
各フローＱｏＳ情報項目が、前記フローサービス品質情報項目を示すための識別子情報及びサービス品質（ＱｏＳ）ルールを含んでおり、前記識別子情報が、フロー識別子又はサービス品質識別子（ＱｏＳ  ＩＤ）を含んでいる、請求項１に記載の方法。
【請求項３】
前記ＱｏＳルールが、パケット遅延割当量（ＰＤＢ）、パケットエラーレート（ＰＥＲ）、優先度、保証フロービットレート、最大フロービットレート、割り当て及び保持優先度、ＵＥごとの最大ビットレート、アドミッション制御、フロー優先度レベル（ＦＰＬ）、パケット優先度命令（ＰＰＩ）、パケット破棄優先度インジケータ（ＰＤＰＩ）、体感品質（ＱｏＥ）レベル、及び反射ＱｏＳ指示のうちの少なくとも一つを含んでいる、請求項２に記載の方法。
【請求項４】
各ＤＲＢ情報項目がＤＲＢ識別子（ＤＲＢ  ＩＤ）を含んでおり、
各ＤＲＢ情報項目が、前記ＤＲＢ  ＩＤに対応する前記ＤＲＢに関連付けられた前記フローＩＤ又は前記ＤＲＢ  ＩＤに対応する前記ＤＲＢに関連付けられた前記ＱｏＳ  ＩＤ、及び前記ＤＲＢの前記ソース基地局によって構成された第２のＤＲＢ構成情報をさらに含んでおり、前記第２のＤＲＢ構成情報が、前記ＤＲＢの前記ソース基地局によって構成される、パケットデータ収束プロトコル（ＰＤＣＰ）、無線リンク制御（ＲＬＣ）、及び論理チャネルの構成パラメータを含んでいる、請求項２に記載の方法。
【請求項５】
前記ソース基地局によって受信された前記第１のＤＲＢ構成情報が、前記一つ以上のＤＲＢ情報項目のどのＤＲＢにも関連付けられていないフローＩＤ又はＱｏＳ  ＩＤを含んでいる場合、前記ソース基地局が前記ＲＲＣ接続再構成メッセージを前記ＵＥに送信した後に、前記方法が、
前記ソース基地局によって、前記一つ以上のＤＲＢ情報項目のどのＤＲＢにも関連付けられていない前記フローＩＤ又はＱｏＳ  ＩＤを前記コアネットワークに送信することをさらに含んでいる、請求項４に記載の方法。
【請求項６】
ユーザ機器（ＵＥ）がソース基地局からターゲット基地局にハンドオーバされているときに、前記ソース基地局によって送信されたハンドオーバ要求メッセージを前記ターゲット基地局によって受信することであって、前記ハンドオーバ要求メッセージが、前記ＵＥの前記ソース基地局によって構成された一つ以上のＤＲＢ情報項目及び前記ＵＥのコアネットワーク側によって構成された一つ以上のフローＱｏＳ情報項目を運ぶことと、
前記ＵＥの前記ターゲット基地局によって前記ハンドオーバ要求メッセージに従って第１のＤＲＢ構成情報を生成することと、
前記ターゲット基地局によって、前記第１のＤＲＢ構成情報を運ぶハンドオーバ要求確認応答メッセージを前記ソース基地局に送信することとを含んでいる、ハンドオーバ方法。
【請求項７】
前記ＵＥの前記ターゲット基地局によって前記ハンドオーバ要求メッセージに従って第１のＤＲＢ構成情報を前記生成することが、
前記ターゲット基地局によって、前記ターゲット基地局が確立することに同意する前記ＤＲＢ情報項目の第１のＤＲＢに対応するＤＲＢ構成情報を、ＤＲＢ追加変更リストに入れ、前記ターゲット基地局が確立することに同意しない前記ＤＲＢ情報項目の第２のＤＲＢに対応するＤＲＢ識別子（ＤＲＢ  ＩＤ）を、ＤＲＢ解放リストに入れることと、
前記ターゲット基地局によって、前記ＤＲＢ追加変更リスト及び前記ＤＲＢ解放リストが前記第１のＤＲＢ構成情報であると決定することとを含んでいる、請求項６に記載の方法。
【請求項８】
前記ＤＲＢ追加変更リスト内の各ＤＲＢ構成情報が、第１のＤＲＢ  ＩＤ、並びに前記第１のＤＲＢ  ＩＤに対応する第１のＤＲＢに関連付けられた一つ以上のフローＩＤ又はサービス品質識別子（ＱｏＳ  ＩＤ）、パケットデータ収束プロトコル（ＰＤＣＰ）構成情報、無線リンク制御（ＲＬＣ）構成情報、及び論理チャネル構成情報を含んでいる、請求項７に記載の方法。
【請求項９】
前記第１のＤＲＢ  ＩＤに対応する前記第１のＤＲＢに関連付けられた前記一つ以上のフローＩＤ又はＱｏＳ  ＩＤが、前記ターゲット基地局が前記第１のＤＲＢと前記元の一つ以上のフローＩＤ又はＱｏＳ  ＩＤの間の相関関係を変更した後に、前記第１のＤＲＢが再び関連付けられた、一つ以上のフローＩＤ又はＱｏＳ  ＩＤを含んでいる、請求項８に記載の方法。
【請求項１０】
前記第１のＤＲＢ構成情報が、一つ以上のＤＲＢの前記情報内の前記一つ以上のＤＲＢのいずれにも関連付けられていないフローＩＤ又はＱｏＳ  ＩＤを含んでいる場合、前記ＵＥが前記ターゲット基地局に正常にアクセスした後に、前記方法が、
前記ターゲット基地局によって、前記一つ以上のＤＲＢ情報項目の前記一つ以上のＤＲＢのいずれにも関連付けられていない前記フローＩＤ又はＱｏＳ  ＩＤをコアネットワークに送信することをさらに含んでいる、請求項９に記載の方法。
【請求項１１】
ユーザ機器（ＵＥ）がソース基地局から前記ターゲット基地局にハンドオーバされているときに、前記ソース基地局によって送信されたＤＲＢ構成情報を運ぶ無線リソース制御（ＲＲＣ）接続再構成メッセージを、前記ＵＥによって受信することであって、前記ＤＲＢ構成情報が、前記ＵＥの前記ターゲット基地局によってハンドオーバ要求メッセージに従って生成され、前記ハンドオーバ要求メッセージが、前記ソース基地局によって前記ターゲット基地局に送信され、前記ＵＥの前記ソース基地局によって構成された一つ以上のＤＲＢ情報項目及び前記ＵＥのコアネットワーク側によって構成された一つ以上のフローＱｏＳ情報項目を運ぶことと、
前記ＵＥによって、前記ＲＲＣ接続再構成メッセージ内の前記ＤＲＢ構成情報に従って無線リソースを構成することとを含んでいる、ハンドオーバ方法。
【請求項１２】
前記ＤＲＢ構成情報が、ＤＲＢ追加変更リスト及びＤＲＢ解放リストを含んでおり、
前記ＤＲＢ追加変更リスト内の各タプルが、第１のＤＲＢ識別子、並びに前記第１のＤＲＢ識別子に対応する第１のＤＲＢに関連付けられた一つ以上のフローＩＤ又はサービス品質識別子（ＱｏＳ  ＩＤ）、パケットデータ収束プロトコル（ＰＤＣＰ）構成情報、無線リンク制御（ＲＬＣ）構成情報、及び論理チャネル構成情報を含んでおり、前記第１のＤＲＢが、前記ターゲット基地局が確立することに同意する前記ＤＲＢ情報項目のＤＲＢであり、
前記ＤＲＢ解放リスト内の各タプルが、第２のＤＲＢ  ＩＤを含んでおり、前記第２のＤＲＢ  ＩＤに対応する第２のＤＲＢが、前記ターゲット基地局が確立することに同意しない前記ＤＲＢ情報項目のＤＲＢである、請求項１１に記載の方法。
【請求項１３】
前記ＵＥによって、前記ＲＲＣ接続再構成メッセージ内の前記ＤＲＢ構成情報に従って無線リソースを前記構成することが、
前記ＵＥによって、前記ＤＲＢ追加変更リスト内の各タプル情報に従って前記第１のＤＲＢの無線リソースを構成することと、
前記ＤＲＢ解放リスト内の各タプル情報の前記第２のＤＲＢ  ＩＤに従って、前記第２のＤＲＢ  ＩＤに対応する前記第２のＤＲＢの無線リソースを解放することと含んでいる、請求項１２に記載の方法。
【請求項１４】
前記第１のＤＲＢの無線リソースを前記構成することが、
ＰＤＣＰを再確立することと、
ＲＬＣを再確立することと、
前記ＰＤＣＰ構成情報に従って前記ＰＤＣＰを再構成することと、
前記ＲＬＣ構成情報に従って前記ＲＬＣを再構成することと、
前記論理チャネル構成情報に従って論理チャネルを再構成することと、
前記第１のＤＲＢに関連付けられた前記フローＩＤ又はＱｏＳ  ＩＤに従って、前記第１のＤＲＢと前記フローＩＤ又はＱｏＳ  ＩＤの間の相関関係を再構成することとのうちの一つ以上を含んでいる、請求項１３に記載の方法。
【請求項１５】
ソース基地局に適用されるハンドオーバ装置であって、
ユーザ機器（ＵＥ）が前記ソース基地局からターゲット基地局にハンドオーバされているときに、ハンドオーバ要求メッセージを前記ターゲット基地局に送信するように構成された第１の送信モジュールであって、前記ハンドオーバ要求メッセージが、前記ＵＥの前記ソース基地局によって構成された一つ以上のＤＲＢ情報項目及び前記ＵＥのコアネットワーク側によって構成された一つ以上のフローＱｏＳ情報項目を運ぶ、第１の送信モジュールと、
前記ターゲット基地局によって送信されたハンドオーバ要求確認応答メッセージを受信するように構成された受信モジュールであって、前記ハンドオーバ要求確認応答メッセージが、前記ＵＥの前記ターゲット基地局によって前記ハンドオーバ要求メッセージに従って生成された第１のＤＲＢ構成情報を運ぶ、受信モジュールと、
前記第１のＤＲＢ構成情報を運ぶ無線リソース制御（ＲＲＣ）接続再構成メッセージを前記ＵＥに送信するように構成された第２の送信モジュールであって、前記第１のＤＲＢ構成情報が、前記ＵＥによって無線リソースを構成するために使用される、第２の送信モジュールとを備えている、ハンドオーバ装置。
【請求項１６】
前記フローサービス品質情報項目が、前記フローサービス品質情報項目を示すための識別子情報及びサービス品質ルールを含んでおり、前記識別子情報が、フロー識別子又はサービス品質識別子（ＱｏＳ  ＩＤ）を含んでいる、請求項１５に記載の装置。
【請求項１７】
ターゲット基地局に適用されるハンドオーバ装置であって、
ユーザ機器（ＵＥ）がソース基地局から前記ターゲット基地局にハンドオーバされているときに、前記ソース基地局によって送信されたハンドオーバ要求メッセージを受信するように構成された受信モジュールであって、前記ハンドオーバ要求メッセージが、前記ＵＥの前記ソース基地局によって構成された一つ以上のＤＲＢ情報項目及び前記ＵＥのコアネットワーク側によって構成された一つ以上のフローＱｏＳ情報項目を運ぶ、受信モジュールと、
前記ハンドオーバ要求メッセージに従って前記ＵＥの第１のＤＲＢ構成情報を生成するように構成された生成モジュールと、
前記第１のＤＲＢ構成情報を運ぶハンドオーバ要求確認応答メッセージを前記ソース基地局に送信するように構成された送信モジュールとを備えている、ハンドオーバ装置。
【請求項１８】
前記生成モジュールが、
前記ターゲット基地局が確立することに同意する前記一つ以上のＤＲＢ情報項目の第１のＤＲＢに対応するＤＲＢ構成情報を、ＤＲＢ追加変更リストに入れ、前記ターゲット基地局が確立することに同意しない前記一つ以上のＤＲＢ情報項目の第２のＤＲＢに対応するＤＲＢ識別子を、ＤＲＢ解放リストに入れるように構成された構成ユニットと、
前記ＤＲＢ追加変更リスト及び前記ＤＲＢ解放リストが前記第１のＤＲＢ構成情報であると決定するように構成された決定ユニットとを備えている、請求項１７に記載の装置。
【請求項１９】
ユーザ機器（ＵＥ）に適用されるハンドオーバ装置であって、
前記ＵＥがソース基地局からターゲット基地局にハンドオーバされているときに、前記ソース基地局によって送信されたＤＲＢ構成情報を運ぶ無線リソース制御（ＲＲＣ）接続再構成メッセージを受信するように構成された受信モジュールであって、前記ＤＲＢ構成情報が、前記ＵＥの前記ターゲット基地局によってハンドオーバ要求メッセージに従って生成され、前記ハンドオーバ要求メッセージが、前記ソース基地局によって前記ターゲット基地局に送信され、前記ＵＥの前記ソース基地局によって構成された一つ以上のＤＲＢ情報項目及び前記ＵＥのコアネットワーク側によって構成された一つ以上のフローＱｏＳ情報項目を運ぶ、受信モジュールと、
前記ＲＲＣ接続再構成メッセージ内の前記ＤＲＢ構成情報に従って無線リソースを構成するように構成された構成モジュールとを備えている、ハンドオーバ装置。
【請求項２０】
前記ＤＲＢ構成情報が、ＤＲＢ追加変更リスト及びＤＲＢ解放リストを含んでおり、
前記ＤＲＢ追加変更内の各タプルが、第１のＤＲＢ識別子、並びに前記第１のＤＲＢ識別子に対応する第１のＤＲＢに関連付けられた一つ以上のフローＩＤ又はサービス品質識別子（ＱｏＳ  ＩＤ）、パケットデータ収束プロトコル（ＰＤＣＰ）構成情報、無線リンク制御（ＲＬＣ）構成情報、及び論理チャネル構成情報のうちの一つ以上を含んでおり、前記第１のＤＲＢが、前記ターゲット基地局が確立することに同意する前記ＤＲＢ情報のＤＲＢであり、
前記ＤＲＢ解放リスト内の各タプルが、第２のＤＲＢ  ＩＤを含んでおり、前記第２のＤＲＢ  ＩＤに対応する第２のＤＲＢが、前記ターゲット基地局が確立することに同意しない前記一つ以上のＤＲＢ情報項目のＤＲＢである、請求項１９に記載の装置。
【請求項２１】
請求項１から１４のいずれか一項に記載の前記方法を実行するためのコンピュータ実行可能命令を格納する、コンピュータ可読記憶媒体。
【発明の詳細な説明】
【技術分野】
【０００１】
本開示は通信分野に関連しており、特に、ハンドオーバ方法及び装置に関連している。
【背景技術】
【０００２】
図１は、４Ｇシステムの構造図である。第４世代（４Ｇ：  ４ｔｈ  Ｇｅｎｅｒａｔｉｏｎ）又はロングタームエボリューション（ＬＴＥ：  Ｌｏｎｇ  Ｔｅｒｍ  Ｅｖｏｌｕｔｉｏｎ）移動体通信システムでは、同じサービス品質（ＱｏＳ：  Ｑｕａｌｉｔｙ  ｏｆ  Ｓｅｒｖｉｃｅ）要件のあるデータフローが、ベアラに集約される。アクセスネットワーク（ＡＮ：  ａｃｃｅｓｓ  ｎｅｔｗｏｒｋ）及びコアネットワーク（ＣＮ：  ｃｏｒｅ  ｎｅｔｗｏｒｋ）は、ベアラに従ってＱｏＳを処理する。４Ｇシステムでは、アクセスネットワークは、エボルブドノードＢ（ｅＮＢ：  ｅｖｏｌｖｅｄ  Ｎｏｄｅ  Ｂ）及びユーザ機器（ＵＥ：  ｕｓｅｒ  ｅｑｕｉｐｍｅｎｔ）を含む。ｅＮＢとコアネットワークの間のＳ１インターフェイスに一つのネットワーク側ベアラが存在する場合、それに応じて、ｅＮＢとＵＥの間のエアインターフェイスには、一つの無線ベアラが存在する。すなわち、ネットワーク側ベアラ及び無線ベアラは、１対１の対応関係にある。
【０００３】
４Ｇシステムでは、ＱｏＳパラメータは、ＱｏＳクラス識別子（ＱＣＩ：  ＱｏＳ  ｃｌａｓｓ  ｉｄｅｎｔｉｆｉｅｒ）及び割り当て及び保持優先度（ＡＲＰ：  ａｌｌｏｃａｔｉｏｎ  ａｎｄ  ｒｅｔｅｎｔｉｏｎ  ｐｒｉｏｒｉｔｙ）を含む。ＱＣＩは、ベアラタイプ（保証ビットレート（ＧＢＲ：  ｇｕａｒａｎｔｅｅｄ  ｂｉｔ  ｒａｔｅ）又は非ＧＢＲ）、優先度、パケット遅延割当量、及びパケットエラーレートを含む。ＡＰＲは、過負荷が発生したときの削除又は保持に対応するベアラの優先度を示すように構成される。
【０００４】
ベアラタイプが非ＧＢＲベアラである場合、ＱｏＳパラメータは、合計最大ビットレート（ＡＭＢＲ：  ａｇｇｒｅｇａｔｅ  ｍａｘｉｍｕｍ  ｂｉｔ  ｒａｔｅ）をさらに含む。ＡＭＢＲは、ＵＥのすべての非ＧＢＲベアラの合計最大ビットレート（ＵＥ−ＡＭＢＲ）及びアクセスポイント名（ＡＰＮ：  ａｃｃｅｓｓ  ｐｏｉｎｔ  ｎａｍｅ）に対応する非ＧＢＲベアラの合計最大ビットレート（ＡＰＮ−ＡＭＢＲ）を含む。
【０００５】
ベアラタイプがＧＢＲベアラである場合、ＱｏＳパラメータは、最大ビットレート（ＭＢＲ：  ｍａｘｉｍｕｍ  ｂｉｔ  ｒａｔｅ）及びＧＢＲをさらに含む。
【０００６】
４Ｇシステムでは、ＱｏＳポリシーがコアネットワークによって制御され、基地局がＱｏＳパラメータを受動的に受け入れるか、又は拒否するため、基地局は、リアルタイムの無線負荷に従ってＱｏＳパラメータを調整することができず、コアネットワークは、現在の無線負荷をリアルタイムに学習できない。したがって、コアネットワークが合理的なＱｏＳの決定を行うことは困難である。コアネットワーク内のポリシー及び課金ルール機能（ＰＣＲＦ：  ｐｏｌｉｃｙ  ａｎｄ  ｃｈａｒｇｉｎｇ  ｒｕｌｅ  ｆｕｎｃｔｉｏｎ）は、ＵＥがパケットデータネットワーク（ＰＤＮ：  ｐａｃｋｅｔ  ｄａｔａ  ｎｅｔｗｏｒｋ）リンクで同じＱｏＳの二つのベアラを持たないことを保証する。ＵＥが第１のＰＤＮリンクを要求した後に、ＵＥが第２のＰＤＮリンクを要求した場合、異なるＰＣＲＦ決定により、第１のＰＤＮリンクのＱｏＳと同じＱｏＳを有しているベアラが確立されることがあり、ＵＥが同じＱｏＳの二つのネットワーク側ベアラを持つことがある。無線ベアラ及びネットワーク側ベアラは１対１の対応関係にあるため、複数の無線ベアラが存在し、無線リソースの浪費を引き起こす。
【０００７】
図２は、５Ｇ移動体通信技術を使用する第５世代（５Ｇ：５ｔｈ  Ｇｅｎｅｒａｔｉｏｎ）システムの構造図である。４Ｇ移動体通信システムと比較して、５Ｇ移動体通信システムには、１０００倍のネットワークスループット能力、１００倍のデバイス接続、及び１０分の１の待ち時間に対する改善要求がある可能性がある。５Ｇシステムは、ある程度まで、新しくより良いＱｏＳメカニズムを必要とする。
【０００８】
５Ｇシステムは、拡張モバイルブロードバンド（ｅＭＢＢ：  ｅｎｈａｎｃｅｄ  ｍｏｂｉｌｅ  ｂｒｏａｄｂａｎｄ）、大規模マシンタイプ通信（ｍＭＴＣ：  ｍａｓｓｉｖｅ  ｍａｃｈｉｎｅ  ｔｙｐｅ  ｃｏｍｍｕｎｉｃａｔｉｏｎ）、超高信頼低遅延通信（ＵＲＬＬＣ：  ｕｌｔｒａ  ｒｅｌｉａｂｌｅ  ａｎｄ  ｌｏｗ  ｌａｔｅｎｃｙ  ｃｏｍｍｕｎｉｃａｔｉｏｎ）、及びその他のサービスをサポートするための、統一的構造を採用する可能性がある。５Ｇシステムでは、コアネットワーク、基地局、及びＵＥが大きく進化する。４Ｇ移動体通信技術から５Ｇ移動体通信技術への移行のための基地局が存在してよい。このタイプの基地局のエアインターフェイスは、４Ｇシステムにおける基地局（すなわち、ｅＮＢ）のエアインターフェイスに類似しており、このタイプの基地局は、そのエアインターフェイスを介して５Ｇコアネットワークに正常に接続されてよい。このタイプの基地局は、進化型ｅＮＢと呼ばれることがある。４ＧシステムにおけるｅＮＢ間のＸ２インターフェイスと同様に、直接インターフェイスが、５Ｇシステムの５Ｇ基地局間に存在してもよく、このインターフェイスは、Ｘｎインターフェイスと呼ばれる。Ｘｎインターフェイスは、進化型ｅＮＢ間又は進化型ｅＮＢと５Ｇ基地局の間に存在してもよい。４ＧシステムにおけるｅＮＢとコアネットワークの間のＳ１インターフェイスと同様に、５Ｇシステムにおける５Ｇ基地局と５Ｇコアネットワークの間のインターフェイスが、ＮＧインターフェイスと呼ばれる。ＮＧインターフェイスは、進化型ｅＮＢと５Ｇコアネットワークの間に存在してもよい。
【発明の概要】
【発明が解決しようとする課題】
【０００９】
進化型ｅＮＢは５Ｇコアネットワークに正常に接続されてもよいが、エアインターフェイスの態様では、進化型ｅＮＢが４Ｇシステムの基地局（ｅＮＢ）に類似しているため、進化型ｅＮＢの無線リソース制御（ＲＲＣ：  ｒａｄｉｏ  ｒｅｓｏｕｒｃｅ  ｃｏｎｔｒｏｌ）プロトコルは、ｅＮＢのＲＲＣに類似しており、５Ｇ基地局のＲＲＣとは大幅に異なっている。したがって、進化型ｅＮＢ及び５Ｇ基地局は、互いのＲＲＣプロトコルを識別できない可能性がある。
【課題を解決するための手段】
【００１０】
本開示によって提供されるハンドオーバ方法及び装置は、基地局がハンドオーバされているときに、コアネットワークによって採用されたＱｏＳメカニズムと、アクセスネットワークによって採用されたＱｏＳメカニズムが異なるという問題を、解決することができる。
【００１１】
ハンドオーバ方法は、ユーザ機器（ＵＥ）がソース基地局からターゲット基地局にハンドオーバされているときに、ソース基地局によってハンドオーバ要求メッセージをターゲット基地局に送信することであって、このハンドオーバ要求メッセージが、ＵＥのソース基地局によって構成された一つ以上のＤＲＢ情報項目及びＵＥのコアネットワーク側によって構成された一つ以上のフローＱｏＳ情報項目を運ぶことと、ターゲット基地局によって送信されたハンドオーバ要求確認応答メッセージを、ソース基地局によって受信することであって、このハンドオーバ要求確認応答メッセージが、ＵＥのターゲット基地局によってハンドオーバ要求メッセージに従って生成された第１のＤＲＢ構成情報を運ぶことと、  ソース基地局によって、第１のＤＲＢ構成情報を運ぶ無線リソース制御（ＲＲＣ）接続再構成メッセージをＵＥに送信することであって、第１のＤＲＢ構成情報が、ＵＥによって無線リソースを構成するために使用されることとを含む。
【００１２】
一実施形態例では、フローＱｏＳ情報項目は、フローサービス品質情報項目を示すための識別子情報及びサービス品質（ＱｏＳ）ルールを含む。識別子情報は、フロー識別子又はサービス品質識別子（ＱｏＳ  ＩＤ）を含む。
【００１３】
一実施形態例では、ＱｏＳルールは、パケット遅延割当量（ＰＤＢ：  ｐａｃｋｅｔ  ｄｅｌａｙ  ｂｕｄｇｅｔ）、パケットエラーレート（ＰＥＲ：  ｐａｃｋｅｔ  ｅｒｒｏｒ  ｒａｔｅ）、優先度、保証フロービットレート、最大フロービットレート、割り当て及び保持優先度、ＵＥごとの最大ビットレート、アドミッション制御、フロー優先度レベル（ＦＰＬ：  ｆｌｏｗ  ｐｒｉｏｒｉｔｙ  ｌｅｖｅｌ）、パケット優先度命令（ＰＰＩ：  ｐａｃｋｅｔ  ｐｒｉｏｒｉｔｙ  ｉｎｓｔｒｕｃｔｉｏｎ）、パケット破棄優先度インジケータ（ＰＤＰＩ：  ｐａｃｋｅｔ  ｄｉｓｃａｒｄ  ｐｒｉｏｒｉｔｙ  ｉｎｄｉｃａｔｏｒ）、体感品質（ＱｏＥ：  ｑｕａｌｉｔｙ  ｏｆ  ｅｘｐｅｒｉｅｎｃｅ）レベル、及び反射ＱｏＳ指示のうちの少なくとも一つを含む。
【００１４】
一実施形態例では、各ＤＲＢ情報項目は、ＤＲＢ識別子（ＤＲＢ  ＩＤ）を含み、各ＤＲＢ情報項目は、ＤＲＢ  ＩＤに対応するＤＲＢに関連付けられたフローＩＤ又はＤＲＢ  ＩＤに対応するＤＲＢに関連付けられたＱｏＳ  ＩＤ、及びＤＲＢのソース基地局によって構成された第２のＤＲＢ構成情報をさらに含む。第２のＤＲＢ構成情報は、ＤＲＢのソース基地局によって構成される、パケットデータ収束プロトコル（ＰＤＣＰ：  ｐａｃｋｅｔ  ｄａｔａ  ｃｏｎｖｅｒｇｅｎｃｅ  ｐｒｏｔｏｃｏｌ）、無線リンク制御（ＲＬＣ：  ｒａｄｉｏ  ｌｉｎｋ  ｃｏｎｔｒｏｌ）、及び論理チャネルの構成パラメータを含む。
【００１５】
一実施形態例では、ソース基地局によって受信された第１のＤＲＢ構成情報が、一つ以上のＤＲＢ情報項目のどのＤＲＢにも関連付けられていないフローＩＤ又はＱｏＳ  ＩＤを含んでいる場合、ソース基地局がＲＲＣ接続再構成メッセージをＵＥに送信した後に、この方法は、ソース基地局によって、一つ以上のＤＲＢ情報項目のどのＤＲＢにも関連付けられていないフローＩＤ又はＱｏＳ  ＩＤをコアネットワークに送信することをさらに含む。
【００１６】
ハンドオーバ方法は、ユーザ機器（ＵＥ）がソース基地局からターゲット基地局にハンドオーバされているときに、ソース基地局によって送信されたハンドオーバ要求メッセージをターゲット基地局によって受信することであって、このハンドオーバ要求メッセージが、ＵＥのソース基地局によって構成された一つ以上のＤＲＢ情報項目及びＵＥのコアネットワーク側によって構成された一つ以上のフローＱｏＳ情報項目を運ぶことと、ＵＥのターゲット基地局によってハンドオーバ要求メッセージに従って第１のＤＲＢ構成情報を生成することと、ターゲット基地局によって、第１のＤＲＢ構成情報を運ぶハンドオーバ要求確認応答メッセージをソース基地局に送信することとを含む。
【００１７】
一実施形態例では、ＵＥのターゲット基地局によってハンドオーバ要求メッセージに従って第１のＤＲＢ構成情報を生成することが、に対応する第１のＤＲＢに関連付けられた一つ以上のフローＩＤ又はＱｏＳ  ＩＤは、ターゲット基地局が第１のＤＲＢと一つ以上のフローＩＤ又はＱｏＳ  ＩＤの間の相関関係を変更した後に、第１のＤＲＢが再び関連付けられた、一つ以上のフローＩＤ又はＱｏＳ  ＩＤを含む。
【００１８】
一実施形態例では、第１のＤＲＢ構成情報が、一つ以上のＤＲＢ情報項目のどのＤＲＢにも関連付けられていないフローＩＤ又はＱｏＳ  ＩＤを含んでいる場合、ＵＥがターゲット基地局に正常にアクセスした後に、この方法は、ターゲット基地局によって、一つ以上のＤＲＢ情報項目のどのＤＲＢにも関連付けられていないフローＩＤ又はＱｏＳ  ＩＤをコアネットワークに送信することをさらに含む。
【００１９】
ハンドオーバ方法は、ＵＥがソース基地局からターゲット基地局にハンドオーバされているときに、ソース基地局によって送信されたＤＲＢ構成情報を運ぶ無線リソース制御（ＲＲＣ）接続再構成メッセージを、ユーザ機器（ＵＥ）によって受信することであって、ＤＲＢ構成情報が、ＵＥのターゲット基地局によってハンドオーバ要求メッセージに従って生成され、このハンドオーバ要求メッセージが、ソース基地局によってターゲット基地局に送信され、ＵＥのソース基地局によって構成された一つ以上のＤＲＢ情報項目及びＵＥのコアネットワーク側によって構成された一つ以上のフローＱｏＳ情報項目を運ぶことと、ＵＥによって、ＲＲＣ接続再構成メッセージ内のＤＲＢ構成情報に従って無線リソースを構成することとを含む。
【００２０】
一実施形態例では、ＤＲＢ構成情報は、ＤＲＢ追加変更リスト及びＤＲＢ解放リストを含む。
【００２１】
ＤＲＢ追加変更リスト内の各タプルは、第１のＤＲＢ識別子、並びに第１のＤＲＢ識別子に対応する第１のＤＲＢに関連付けられた一つ以上のフローＩＤ又はサービス品質識別子（ＱｏＳ  ＩＤ）、パケットデータ収束プロトコル（ＰＤＣＰ）構成情報、無線リンク制御（ＲＬＣ）構成情報、及び論理チャネル構成情報のうちの一つ以上を含んでおり、第１のＤＲＢは、ターゲット基地局が確立することに同意する一つ以上のＤＲＢ情報項目のＤＲＢである。
【００２２】
ＤＲＢ解放リスト内の各タプルは、第２のＤＲＢ  ＩＤを含んでおり、第２のＤＲＢ  ＩＤに対応する第２のＤＲＢは、ターゲット基地局が確立することに同意しない一つ以上のＤＲＢ情報項目のＤＲＢである。
【００２３】
一実施形態例では、ＵＥによって、ＲＲＣ接続再構成メッセージ内のＤＲＢ構成情報に従って無線リソースを構成することが、ＵＥによって、ＤＲＢ追加変更リスト内の各タプル情報に従って第１のＤＲＢの無線リソースを構成することと、ＤＲＢ解放リスト内の各タプル情報の第２のＤＲＢ  ＩＤに従って、第２のＤＲＢ  ＩＤに対応する第２のＤＲＢの無線リソースを解放することと含む。
【００２４】
一実施形態例では、第１のＤＲＢ上の無線リソースを構成することが、ＰＤＣＰを再確立することと、  ＲＬＣを再確立することと、ＰＤＣＰ構成情報に従ってＰＤＣＰを再構成することと、  ＲＬＣ構成情報に従ってＲＬＣを再構成することと、論理チャネル構成情報に従って論理チャネルを再構成することと、第１のＤＲＢに関連付けられたフローＩＤ又はＱｏＳ  ＩＤに従って、第１のＤＲＢとフローＩＤ又はＱｏＳ  ＩＤの間の相関関係を再構成することとのうちの一つ以上を含む。
【００２５】
ソース基地局に適用されるハンドオーバ装置は、第１の送信モジュール、受信モジュール、及び第２の送信モジュールを含む。
【００２６】
第１の送信モジュールは、ユーザ機器（ＵＥ）がソース基地局からターゲット基地局にハンドオーバされているときに、ハンドオーバ要求メッセージをターゲット基地局に送信するように構成される。ハンドオーバ要求メッセージは、ＵＥのソース基地局によって構成された一つ以上のＤＲＢ情報項目及びＵＥのコアネットワーク側によって構成された一つ以上のフローＱｏＳ情報項目を運ぶ。
【００２７】
受信モジュールは、ターゲット基地局によって送信されたハンドオーバ要求確認応答メッセージを受信するように構成される。ハンドオーバ要求確認応答メッセージは、ＵＥのターゲット基地局によってハンドオーバ要求メッセージに従って生成された第１のＤＲＢ構成情報を運ぶ。
【００２８】
第２の送信モジュールは、第１のＤＲＢ構成情報を運ぶ無線リソース制御（ＲＲＣ）接続再構成メッセージをＵＥに送信するように構成される。第１のＤＲＢ構成情報は、ＵＥによって無線リソースを構成するために使用される。
【００２９】
一実施形態例では、フローサービス品質情報項目は、フローサービス品質情報項目を示すための識別子情報及びサービス品質ルールを含み、この識別子情報は、フロー識別子又はサービス品質識別子（ＱｏＳ  ＩＤ）を含む。
【００３０】
ターゲット基地局に適用されるハンドオーバ装置は、受信モジュール、生成モジュール、及び送信モジュールを含む。
【００３１】
受信モジュールは、ＵＥがソース基地局からターゲット基地局にハンドオーバされているときに、ソース基地局によって送信されたハンドオーバ要求メッセージを受信するように構成される。ハンドオーバ要求メッセージは、ＵＥのソース基地局によって構成された一つ以上のＤＲＢ情報項目及びＵＥのコアネットワーク側によって構成された一つ以上のフローＱｏＳ情報項目を運ぶ。
【００３２】
生成モジュールは、ハンドオーバ要求メッセージに従ってＵＥの第１のＤＲＢ構成情報を生成するように構成される。
【００３３】
送信モジュールは、第１のＤＲＢ構成情報を運ぶハンドオーバ要求確認応答メッセージをソース基地局に送信するように構成される。
【００３４】
一実施形態例では、生成モジュールは、構成ユニット及び決定ユニットを含む。
【００３５】
構成ユニットは、ターゲット基地局が確立することに同意する一つ以上のＤＲＢ情報項目の第１のＤＲＢに対応するＤＲＢ構成情報を、ＤＲＢ追加変更リストに入れ、ターゲット基地局が確立することに同意しない一つ以上のＤＲＢ情報項目の第２のＤＲＢに対応するＤＲＢ識別子を、ＤＲＢ解放リストに入れるように構成される。
【００３６】
決定ユニットは、ＤＲＢ追加変更リスト及びＤＲＢ解放リストが第１のＤＲＢ構成情報であると決定するように構成される。
【００３７】
ユーザ機器（ＵＥ）に適用されるハンドオーバ装置は、受信モジュール及び構成モジュールを含む。
【００３８】
受信モジュールは、ＵＥがソース基地局からターゲット基地局にハンドオーバされているときに、ソース基地局によって送信されたＤＲＢ構成情報を運ぶ無線リソース制御（ＲＲＣ）接続再構成メッセージを受信するように構成される。ＤＲＢ構成情報は、ＵＥのターゲット基地局によってハンドオーバ要求メッセージに従って生成される。ハンドオーバ要求メッセージは、ソース基地局によってターゲット基地局に送信され、ＵＥのソース基地局によって構成された一つ以上のＤＲＢ情報項目及びＵＥのコアネットワーク側によって構成された一つ以上のフローＱｏＳ情報項目を運ぶ。
【００３９】
構成モジュールは、ＲＲＣ接続再構成メッセージ内のＤＲＢ構成情報に従って無線リソースを構成するように構成される。
【００４０】
一実施形態例では、ＤＲＢ構成情報は、ＤＲＢ追加変更リスト及びＤＲＢ解放リストを含む。
【００４１】
ＤＲＢ追加変更内の各タプルは、第１のＤＲＢ識別子、並びに第１のＤＲＢ識別子に対応する第１のＤＲＢに関連付けられた一つ以上のフローＩＤ又はサービス品質識別子（ＱｏＳ  ＩＤ）、パケットデータ収束プロトコル（ＰＤＣＰ）構成情報、無線リンク制御（ＲＬＣ）構成情報、及び論理チャネル構成情報のうちの一つ以上を含んでおり、第１のＤＲＢは、ターゲット基地局が確立することに同意する一つ以上のＤＲＢ情報項目のＤＲＢである。
【００４２】
ＤＲＢ解放リスト内の各タプルは、第２のＤＲＢ  ＩＤを含んでおり、第２のＤＲＢ  ＩＤに対応する第２のＤＲＢは、ターゲット基地局が確立することに同意しない一つ以上のＤＲＢ情報項目のＤＲＢである。
【００４３】
コンピュータ可読記憶媒体は、前述したいずれかの方法を実行するためのコンピュータ実行可能命令を格納する。ソース基地局は、少なくとも一つのプロセッサと、少なくとも一つのプロセッサに通信可能に接続されたメモリとを含む。
【００４４】
このメモリは、少なくとも一つのプロセッサによって実行されてよい命令を格納し、少なくとも一つのプロセッサが命令を実行して、ソース基地局によって実行される上記の方法を実行する。
【００４５】
ターゲット基地局は、少なくとも一つのプロセッサと、少なくとも一つのプロセッサに通信可能に接続されたメモリとを含む。
【００４６】
このメモリは、少なくとも一つのプロセッサによって実行されてよい命令を格納し、少なくとも一つのプロセッサが命令を実行して、ターゲット基地局によって実行される上記の方法を実行する。
【００４７】
ユーザ機器は、  少なくとも一つのプロセッサと、少なくとも一つのプロセッサに通信可能に接続されたメモリとを含む。
【００４８】
このメモリは、少なくとも一つのプロセッサによって実行されてよい命令を格納し、少なくとも一つのプロセッサが命令を実行して、ユーザ機器によって実行される上記の方法を実行する。
【図面の簡単な説明】
【００４９】
【図１】４Ｇシステムの構造図である。
【図２】５Ｇシステムの構造図である。
【図３】本開示の実施形態に従うハンドオーバ方法のフローチャートである。
【図４】本開示の実施形態に従う別のハンドオーバ方法のフローチャートである。
【図５】本開示の実施形態に従うさらに別のハンドオーバ方法のフローチャートである。
【図６】本開示の実施形態に従うハンドオーバ装置のブロック図である。
【図７】本開示の実施形態に従う別のハンドオーバ装置のブロック図である。
【図８】本開示の実施形態に従うさらに別のハンドオーバ装置のブロック図である。
【図９】本開示の実施形態に従うハンドオーバ方法のフローチャートである。
【図１０】本開示の実施形態に従うソース基地局のハードウェア構造を示す概略図である。
【図１１】本開示の実施形態に従うターゲット基地局のハードウェア構造を示す概略図である。
【図１２】本開示の実施形態に従うユーザ機器のハードウェア構造を示す概略図である。
【発明を実施するための形態】
【００５０】
本開示の説明、特許請求の範囲、及び図面における「第１」、「第２」などの用語は、類似する対象を区別するために使用され、特定の順序又は並びを説明するために必ずしも使用されない。図３は、本開示の実施形態に従うハンドオーバ方法のフローチャートである。この実施形態によって提供される方法は、前述した図１又は図２に示されたネットワーク構造において使用されてよい。この実施形態における方法の実行者は、基地局（例えば、ソース基地局）であってよい。図３に示されているように、この方法は、下記で説明されるステップを含む。
【００５１】
ステップ３０２で、ユーザ機器（ＵＥ）がソース基地局からターゲット基地局にハンドオーバされているときに、ソース基地局がハンドオーバ要求メッセージをターゲット基地局に送信し、このハンドオーバ要求メッセージが、ＵＥのソース基地局によって構成された一つ以上のデータ無線ベアラ（ＤＲＢ：  ｄａｔａ  ｒａｄｉｏ  ｂｅａｒｅｒ）情報項目及びＵＥのコアネットワーク側によって構成された一つ以上のフローサービス品質（ＱｏＳ）情報項目を運ぶ。
【００５２】
ステップ３０４で、ソース基地局が、ターゲット基地局によって送信されたハンドオーバ要求確認応答メッセージを受信する。ハンドオーバ要求確認応答メッセージは、ＵＥのターゲット基地局によってハンドオーバ要求メッセージに従って生成された第１のＤＲＢ構成情報を運ぶ。
【００５３】
ステップ３０６で、ソース基地局が、第１のＤＲＢ構成情報を運ぶ無線リソース制御（ＲＲＣ）接続再構成メッセージをＵＥに送信し、第１のＤＲＢ構成情報が、ＵＥによって無線リソースを構成するために使用される。
【００５４】
前述した方法は、コアネットワークによって採用されたＱｏＳメカニズムと、アクセスネットワークによって採用されたＱｏＳメカニズムが基地局のハンドオーバにおいて統一されないという問題を、解決することができる。コアネットワーク及びアクセスネットワークが異なるＱｏＳメカニズムを採用し、進化型ｅＮＢ及び５Ｇ基地局が互いのＲＲＣプロトコルを識別できない場合、前述した方法は、進化型ｅＮＢと５Ｇ基地局の間のＸｎインターフェイス上で、ＱｏＳを保証できる（例えば、データパケットが失われず、データパケットが繰り返し送信されない）ハンドオーバを実施できる。
【００５５】
任意選択的に、フローＱｏＳ情報項目は、フローＱｏＳ情報項目を示すための識別子情報及びＱｏＳルールを含み、この識別子情報は、フロー識別子又はＱｏＳ  ＩＤを含む。
【００５６】
一実施形態では、ＱｏＳルールは、パケット遅延割当量（ＰＤＢ）、パケットエラーレート（ＰＥＲ）、優先度、保証フロービットレート、最大フロービットレート、割り当て及び保持優先度（ＡＲＰ）、ＵＥごとの最大ビットレート、アドミッション制御、フロー優先度レベル（ＦＰＬ）、パケット優先度命令（ＰＰＩ）、パケット破棄優先度インジケータ（ＰＤＰＩ）、体感品質（ＱｏＥ）レベル（ＱｏＳレベル）、及び反射ＱｏＳ指示のうちの少なくとも一つを含む。
【００５７】
反射ＱｏＳ指示は、アップリンクフローＱｏＳ情報がダウンリンクフローＱｏＳ情報に従って決定されることを示すために使用される。ＱｏＳルールが反射ＱｏＳ指示を含んでいる場合、ＱｏＳルールは、アップリンクフローＱｏＳ情報を含まなくてよい。
【００５８】
一実施形態例では、各ＤＲＢ情報項目は、ＤＲＢ  ＩＤを含む。ＤＲＢ情報項目は、ＤＲＢ  ＩＤに対応するＤＲＢに関連付けられたフローＩＤ又はＤＲＢ  ＩＤに対応するＤＲＢに関連付けられたＱｏＳ  ＩＤ、及びＤＲＢのソース基地局によって構成された第２のＤＲＢ構成情報をさらに含む。第２のＤＲＢ構成情報は、ＤＲＢのソース基地局によって構成される、パケットデータ収束プロトコル（ＰＤＣＰ）、無線リンク制御（ＲＬＣ）、及び論理チャネルの構成パラメータを含む。
【００５９】
一実施形態例では、ソース基地局によって受信された第１のＤＲＢ構成情報が、すべてのＤＲＢ情報項目のすべてのＤＲＢに対応するすべてのＤＲＢのいずれにも関連付けられていないフローＩＤ又はＱｏＳ  ＩＤを含んでいる場合、ソース基地局がＲＲＣ接続再構成メッセージをＵＥに送信した後に、この方法は、ソース基地局によって、すべてのＤＲＢ情報項目のすべてのＤＲＢに対応するすべてのＤＲＢのいずれにも関連付けられていないフローＩＤ又はＱｏＳ  ＩＤをコアネットワークに送信することをさらに含む。
【００６０】
図４は、本開示の実施形態に従うハンドオーバ方法のフローチャートである。図４に示されているように、この方法は、下記で説明されるステップを含む。
【００６１】
ステップ４０２で、ユーザ機器（ＵＥ）がソース基地局からターゲット基地局にハンドオーバされているときに、ターゲット基地局が、ソース基地局によって送信されたハンドオーバ要求メッセージを受信する。ハンドオーバ要求メッセージは、ＵＥのソース基地局によって構成された一つ以上のＤＲＢ情報項目及びＵＥのコアネットワーク側によって構成された一つ以上のフローＱｏＳ情報項目を運ぶ。
【００６２】
ステップ４０４で、ターゲット基地局が、ハンドオーバ要求メッセージに従ってＵＥの第１のＤＲＢ構成情報を生成する。
【００６３】
ステップ４０６で、ターゲット基地局は、第１のＤＲＢ構成情報を運ぶハンドオーバ要求確認応答メッセージをソース基地局に送信する。
【００６４】
一実施形態例では、ＵＥのターゲット基地局によってハンドオーバ要求メッセージに従って第１のＤＲＢ構成情報を生成するプロセスが、
【００６５】
ターゲット基地局によって、ターゲット基地局が確立することに同意するＤＲＢ情報項目の第１のＤＲＢに対応するＤＲＢ構成情報を、ＤＲＢ追加変更リストに入れ、ターゲット基地局が確立することに同意しないＤＲＢ情報項目の第２のＤＲＢに対応するＤＲＢ  ＩＤを、ＤＲＢ解放リストに入れることと、
【００６６】
ターゲット基地局によって、ＤＲＢ追加変更リスト及びＤＲＢ解放リストが第１のＤＲＢ構成情報であると決定することとを含む。
【００６７】
一実施形態例では、ＤＲＢ追加変更リスト内の各ＤＲＢ構成情報が、第１のＤＲＢ  ＩＤ、並びに第１のＤＲＢ  ＩＤに対応するＤＲＢに関連付けられた一つ以上のフローＩＤ又はＱｏＳ  ＩＤ、パケットデータ収束プロトコル（ＰＤＣＰ）構成情報、無線リンク制御（ＲＬＣ）構成情報、及び論理チャネル構成情報のうちの一つ以上を含む。
【００６８】
一実施形態例では、第１のＤＲＢ  ＩＤに対応する第１のＤＲＢに関連付けられた一つ以上のフローＩＤ又はＱｏＳ  ＩＤは、ターゲット基地局が第１のＤＲＢと一つ以上のフローＩＤ又はＱｏＳ  ＩＤの間の相関関係を変更した後に、第１のＤＲＢ  ＩＤに対応する第１のＤＲＢが再び関連付けられた、一つ以上のフローＩＤ又はＱｏＳ  ＩＤを含む。
【００６９】
任意選択的な実施形態では、ＤＲＢ構成情報が、すべてのＤＲＢ情報項目のどのＤＲＢにも関連付けられていないフローＩＤ又はＱｏＳ  ＩＤを含んでいる場合、ＵＥがターゲット基地局に正常にアクセスした後に、この方法は、ソース基地局によって、すべてのＤＲＢ情報項目のどのＤＲＢにも関連付けられていないフローＩＤ又はＱｏＳ  ＩＤをコアネットワークに送信することをさらに含む。
【００７０】
図５は、本開示の実施形態に従うハンドオーバ方法のフローチャートである。図５に示されているように、この方法は、下記で説明されるステップを含む。
【００７１】
ステップ５０２で、ユーザ機器（ＵＥ）がソース基地局からターゲット基地局にハンドオーバされているときに、ＵＥが、ソース基地局によって送信されたＤＲＢ構成情報を運ぶ無線リソース制御（ＲＲＣ）接続再構成メッセージを受信する。ＤＲＢ構成情報が、ＵＥのターゲット基地局によってハンドオーバ要求メッセージに従って生成され、ハンドオーバ要求メッセージが、ソース基地局によってターゲット基地局に送信され、ＵＥのソース基地局によって構成された一つ以上のＤＲＢ情報項目及びＵＥのコアネットワーク側によって構成された一つ以上のフローＱｏＳ情報項目を運ぶ。
【００７２】
ステップ５０４で、ＵＥが、ＲＲＣ接続再構成メッセージ内のＤＲＢ構成情報に従って無線リソースを構成する。
【００７３】
一実施形態例では、ＤＲＢ構成情報は、ＤＲＢ追加変更リスト及びＤＲＢ解放リストを含む。ＤＲＢ追加変更リスト内の各タプルは、第１のＤＲＢ  ＩＤ、並びに第１のＤＲＢ  ＩＤに対応する第１のＤＲＢに関連付けられた一つ以上のフローＩＤ又はＱｏＳ  ＩＤ、ＰＤＣＰ構成情報、ＲＬＣ構成情報、及び論理チャネル構成情報のうちの一つ以上を含む。第１のＤＲＢは、ターゲット基地局が確立することに同意するＤＲＢ情報項目のＤＲＢである。ＤＲＢ解放リスト内の各タプルは、第２のＤＲＢ  ＩＤを含んでおり、第２のＤＲＢ  ＩＤに対応する第２のＤＲＢは、ターゲット基地局が確立することに同意しないＤＲＢ情報項目のＤＲＢである。
【００７４】
一実施形態例では、ＲＲＣ接続再構成メッセージ内のＤＲＢ構成情報に従って無線リソースを構成するＵＥのプロセスは、ＵＥによって、ＤＲＢ追加変更リスト内の各タプル情報に従って第１のＤＲＢの無線リソースを構成することと、ＤＲＢ解放リスト内の各タプル情報の第２のＤＲＢ  ＩＤに従って第２のＤＲＢ  ＩＤに対応する第２のＤＲＢの無線リソースを解放することとを含む。
【００７５】
一実施形態例では、第１のＤＲＢの無線リソースを構成することが、
ＰＤＣＰを再確立することと、
ＲＬＣを再確立することと、
ＰＤＣＰ構成情報に従ってＰＤＣＰを再構成することと、
ＲＬＣ構成情報に従ってＲＬＣを再構成することと、
論理チャネル構成情報に従って論理チャネルを再構成することと、
第１のＤＲＢに関連付けられたフローＩＤ又はＱｏＳ  ＩＤに従って、第１のＤＲＢとフローＩＤ又はＱｏＳ  ＩＤの間の相関関係を再構成することとのうちの一つ以上を含む。
【００７６】
前述した実施形態の方法は、ソフトウェア及び汎用ハードウェアプラットフォームによって実装されてよく、又はハードウェアによって実装されてよい。本開示によって提供される解決策は、ソフトウェア製品の形態で具現化されてよい。コンピュータソフトウェア製品は、非一時的ストレージ媒体（読み取り専用メモリ（ＲＯＭ：  ｒｅａｄ−ｏｎｌｙ  ｍｅｍｏｒｙ）、ランダムアクセスメモリ（ＲＡＭ：  ｒａｎｄｏｍ−ａｃｃｅｓｓ  ｍｅｍｏｒｙ）、磁気ディスク、又は光ディスクなど）に格納され、コンピュータソフトウェア製品は、端末デバイス（携帯電話、コンピュータ、サーバ、ネットワークデバイスなどであってよい）が本開示の実施形態に記載された方法を実行できるようにするための一つ以上の命令を含む。コンピュータソフトウェア製品は、一時的ストレージ媒体に格納されてよい。
【００７７】
本開示の以下の実施形態は、前述した実施形態を実装するためのハンドオーバ装置を提供する。「モジュール」という用語は、本機能を実装できるソフトウェア及びハードウェアのうちの少なくとも一つであってよい。
【００７８】
図６は、本開示の実施形態に従うハンドオーバ装置のブロック図である。この装置は、ソース基地局に適用されてよい。図６に示されているように、この装置は、第１の送信モジュール６０、受信モジュール６２、及び第２の送信モジュール６４を含む。
【００７９】
第１の送信モジュール６０は、ユーザ機器（ＵＥ）がソース基地局からターゲット基地局にハンドオーバされているときに、ハンドオーバ要求メッセージをターゲット基地局に送信するように構成される。ハンドオーバ要求メッセージは、ＵＥのソース基地局によって構成された一つ以上のＤＲＢ情報項目及びＵＥのコアネットワーク側によって構成された一つ以上のフローＱｏＳ情報項目を運ぶ。
【００８０】
受信モジュール６２は、ターゲット基地局によって送信されたハンドオーバ要求確認応答メッセージを受信するように構成される。ハンドオーバ要求確認応答メッセージは、ＵＥのターゲット基地局によってハンドオーバ要求メッセージに従って生成された第１のＤＲＢ構成情報を運ぶ。
【００８１】
第２の送信モジュール６４が、第１のＤＲＢ構成情報を運ぶ無線リソース制御（ＲＲＣ）接続再構成メッセージをＵＥに送信するように構成され、第１のＤＲＢ構成情報が、ＵＥによって無線リソースを構成するために使用される。
【００８２】
一実施形態例では、フローサービス品質情報は、フローサービス品質情報を示すための識別子情報及びサービス品質ルールを含み、この識別子情報は、フロー識別子又はＱｏＳ  ＩＤを含む。
【００８３】
図７は、本開示の実施形態に従うハンドオーバ装置のブロック図である。この装置は、ターゲット基地局に適用されてよい。図７に示されているように、この装置は、受信モジュール７０、生成モジュール７２、及び送信モジュール７４を含む。
【００８４】
受信モジュール７０は、ユーザ機器（ＵＥ）がソース基地局からターゲット基地局にハンドオーバされているときに、ターゲット基地局によって送信されたハンドオーバ要求メッセージを受信するように構成される。ハンドオーバ要求メッセージは、ＵＥのソース基地局によって構成された一つ以上のＤＲＢ情報項目及びＵＥのコアネットワーク側によって構成された一つ以上のフローＱｏＳ情報項目を運ぶ。
【００８５】
生成モジュール７２は、ハンドオーバ要求メッセージに従ってＵＥの第１のＤＲＢ構成情報を生成するように構成される。
【００８６】
送信モジュール７４は、第１のＤＲＢ構成情報を運ぶハンドオーバ要求確認応答メッセージをソース基地局に送信するように構成される。
【００８７】
一実施形態例では、生成モジュール７２は、構成ユニット及び決定ユニットを含む。構成ユニットは、ターゲット基地局が確立することに同意するＤＲＢ情報項目の第１のＤＲＢに対応するＤＲＢ構成情報を、ＤＲＢ追加変更リストに入れ、ターゲット基地局が確立することに同意しないＤＲＢ情報項目の第２のＤＲＢに対応するＤＲＢ識別子を、ＤＲＢ解放リストに入れるように構成される。決定ユニットは、ＤＲＢ追加変更リスト及びＤＲＢ解放リストが第１のＤＲＢ構成情報であると決定するように構成される。
【００８８】
図８は、本開示の実施形態に従うハンドオーバ装置のブロック図である。この装置は、ユーザ機器（ＵＥ）に適用されてよい。図８に示されているように、この装置は、受信モジュール８０及び構成モジュール８２を含む。
【００８９】
受信モジュール８０は、ＵＥがソース基地局からターゲット基地局にハンドオーバされているときに、ソース基地局によって送信されたＤＲＢ構成情報を運ぶ無線リソース制御（ＲＲＣ）接続再構成メッセージを受信するように構成される。ＤＲＢ構成情報は、ＵＥのターゲット基地局によってハンドオーバ要求メッセージに従って生成される。ハンドオーバ要求メッセージは、ソース基地局によってターゲット基地局に送信され、ＵＥのソース基地局によって構成された一つ以上のＤＲＢ情報項目及びＵＥのコアネットワーク側によって構成された一つ以上のフローＱｏＳ情報項目を運ぶ。
【００９０】
構成モジュール８２は、ＲＲＣ接続再構成メッセージ内のＤＲＢ構成情報に従って無線リソースを構成するように構成される。
【００９１】
一実施形態例では、ＵＥのターゲット基地局のＤＲＢ構成情報は、ＤＲＢ追加変更リスト及びＤＲＢ解放リストを含む。ＤＲＢ追加変更リスト内の各タプルは、第１のＤＲＢ識別子、並びに第１のＤＲＢ  ＩＤに対応する第１のＤＲＢに関連付けられた一つ以上のフローＩＤ又はＱｏＳ  ＩＤ、パケットデータ収束プロトコル（ＰＤＣＰ）構成情報、無線リンク制御（ＲＬＣ）構成情報、及び論理チャネル構成情報のうちの一つ以上を含んでおり、第１のＤＲＢは、ターゲット基地局が確立することに同意するＤＲＢ情報項目のＤＲＢである。
【００９２】
ＤＲＢ解放リスト内の各タプルは、第２のＤＲＢ  ＩＤを含んでおり、第２のＤＲＢ  ＩＤに対応する第２のＤＲＢは、ターゲット基地局が確立することに同意しないＤＲＢ情報項目のＤＲＢである。
【００９３】
前述したさまざまなモジュールは、ソフトウェア又はハードウェアによって実装されてよい。ハードウェアによる実装では、さまざまなモジュールが同じプロセッサに配置されるか、又はさまざまなモジュールが任意に組み合わせられてよい方法で、複数のプロセッサにそれぞれ配置される。
【００９４】
本開示の実施形態は、ＸｎインターフェイスのＱｏＳを保証するためのハンドオーバ方法を提供する。この方法は、下記で説明されるステップを含む。
【００９５】
ソース基地局が、ハンドオーバ要求メッセージをターゲット基地局に送信する。ハンドオーバ要求メッセージは、アクセスネットワーク側でのソース基地局の一つ以上のＤＲＢ情報項目（すなわち、上記の実施形態において説明されたＵＥのソース基地局によって構成されたＤＲＢ情報項目）及びＵＥのコアネットワーク側によって構成された一つ以上のフローＱｏＳ情報項目を運ぶ。
【００９６】
ターゲット基地局は、ハンドオーバ要求メッセージを受信し、ハンドオーバ要求に同意し、ハンドオーバ要求メッセージによって運ばれる情報に従って、第１のＤＲＢ構成情報を生成する。
【００９７】
ターゲット基地局が、ハンドオーバ要求確認応答メッセージをソース基地局に送信する。ハンドオーバ要求確認応答メッセージは、第１のＤＲＢ構成情報を運ぶ。ソース基地局が、ハンドオーバ要求確認応答メッセージを受信し、ＲＲＣ接続再構成メッセージをＵＥに送信する。ＲＲＣ接続再構成メッセージは、ターゲット基地局のＤＲＢ構成情報を運ぶ。ＵＥがＲＲＣ接続再構成メッセージを受信し、第１のＤＲＢ構成情報に従って構成を実行する。
【００９８】
図９は、本開示の実施形態に従うハンドオーバ方法のフローチャートである。この実施形態では、ターゲット基地局が、すべてのＤＲＢ情報項目のＤＲＢを確立することに同意し、この方法は、下記で説明されるステップを含む。
【００９９】
ステップ１で、ソース基地局が、ハンドオーバ要求メッセージをターゲット基地局に送信する。ハンドオーバ要求メッセージは、アクセスネットワーク側でのソース基地局の一つ以上のＤＲＢ情報項目及びコアネットワーク側の一つ以上のフローＱｏＳ情報項目を運ぶ。
【０１００】
ステップ２で、ターゲット基地局がハンドオーバ要求メッセージを受信し、ハンドオーバ要求に同意し、すべてのＤＲＢ情報項目のＤＲＢを確立することに同意し、ハンドオーバ要求メッセージによって運ばれる情報に従ってターゲット基地局のＤＲＢ構成情報を生成する。ターゲット基地局のＤＲＢ構成情報は、ＤＲＢ追加変更リストを含む。ＤＲＢ追加変更リスト内の各項は、ＤＲＢ  ＩＤ、ＤＲＢ  ＩＤに対応するＤＲＢに関連付けられた一つ以上のフローＩＤ又はＱｏＳ  ＩＤ、並びにＰＤＣＰ構成情報、ＲＬＣ構成情報、及び論理チャネル構成情報のうちの一つ以上を含む。
【０１０１】
ステップ３で、ターゲット基地局が、ハンドオーバ要求確認応答メッセージをソース基地局に送信する。ハンドオーバ要求確認応答メッセージは、ターゲット基地局のＤＲＢ構成情報及びＤＲＢ追加変更リストを運ぶ（ＤＲＢ追加変更リスト内の各項は、ＤＲＢ  ＩＤ、及びＤＲＢ  ＩＤに対応するＤＲＢに関連付けられた一つ以上のフローＩＤ又はＱｏＳ  ＩＤを含む）。
【０１０２】
ステップ４で、ソース基地局が、ハンドオーバ要求確認応答メッセージを受信し、ＲＲＣ接続再構成メッセージをＵＥに送信する。ＲＲＣ接続再構成メッセージは、ＵＥのターゲット基地局によって生成されたＤＲＢ構成情報を運ぶ。
【０１０３】
ステップ５で、ＵＥがＲＲＣ接続再構成メッセージを受信し、ＤＲＢ構成情報のＤＲＢ追加変更リスト内の各項に対応するＤＲＢに従って、ＰＤＣＰを再構成することと、ＲＬＣを再構成することと、ＰＤＣＰ構成情報に従ってＰＤＣＰを再構成することと、ＲＬＣ構成情報に従ってＲＬＣを再構成することと、論理チャネル構成情報に従って論理チャネルを再構成することとのうちの少なくとも一つを実行する。
【０１０４】
本開示の実施形態は、ハンドオーバ方法を提供する。この実施形態では、ターゲット基地局が、複数のＤＲＢの情報内のＤＲＢの一部を確立することに同意し、この方法は、下記で説明されるステップを含む。
【０１０５】
ステップ１で、ソース基地局は、ハンドオーバ要求メッセージをターゲット基地局に送信する。ハンドオーバ要求メッセージは、アクセスネットワーク側でのソース基地局の複数のＤＲＢ情報項目及びコアネットワーク側の一つ以上のフローＱｏＳ情報項目を運ぶ。
【０１０６】
ステップ２で、ターゲット基地局は、ハンドオーバ要求メッセージを受信し、ハンドオーバ要求に同意し、複数のＤＲＢの情報内のＤＲＢの一部を確立することに同意し、ハンドオーバ要求メッセージによって運ばれる情報に従って、第１のＤＲＢ構成情報を生成する。第１のＤＲＢ構成は、ＤＲＢ追加変更リスト及びＤＲＢ解放リストを含む。
【０１０７】
ターゲット基地局が、ターゲット基地局が確立することに同意するＤＲＢ情報項目の第１のＤＲＢに対応するＤＲＢ構成情報を、ＤＲＢ追加変更リストに入れ、ターゲット基地局が確立することに同意しないＤＲＢ情報項目の第２のＤＲＢに対応するＤＲＢ識別子（ＤＲＢ  ＩＤ）を、ＤＲＢ解放リストに入れる。
【０１０８】
ＤＲＢ追加変更リストは、ターゲット基地局が確立することに同意する複数のＤＲＢの情報内の第１のＤＲＢに対応するＤＲＢ構成情報を含む。各ＤＲＢ情報項目は、第１のＤＲＢ  ＩＤ、第１のＤＲＢ  ＩＤに対応するＤＲＢに関連付けられた一つ以上のフローＩＤ又はＱｏＳ  ＩＤ、並びにＰＤＣＰ構成情報、ＲＬＣ構成情報、及び論理チャネル構成情報のうちの一つ以上を含む。
【０１０９】
ステップ３で、ターゲット基地局が、ハンドオーバ要求確認応答メッセージをソース基地局に送信する。ハンドオーバ要求確認応答メッセージは、第１のＤＲＢ構成情報、ターゲット基地局が確立することに同意するＤＲＢの第１のリスト（すなわち、各項が第１のＤＲＢ  ＩＤ、及び第１のＤＲＢ  ＩＤに対応するＤＲＢに関連付けられた一つ以上のフローＩＤ又はＱｏＳ  ＩＤを含んでいる、ＤＲＢ追加変更リスト）、及びターゲット基地局が確立することに同意しないＤＲＢの第２のリスト（すなわち、各項が第２のＤＲＢ  ＩＤを含んでいる、ＤＲＢ解放リスト）を運ぶ。
【０１１０】
ステップ４で、ソース基地局が、ハンドオーバ要求確認応答メッセージを受信し、ＲＲＣ接続再構成メッセージをＵＥに送信する。ＲＲＣ接続再構成メッセージは、第１のＤＲＢ構成情報を運ぶ。
【０１１１】
ステップ５で、ＵＥがＲＲＣ接続再構成メッセージを受信し、第１のＤＲＢ構成情報のＤＲＢ追加変更リスト内の各項に対応するＤＲＢに従って、ＰＤＣＰを再構成することと、ＲＬＣを再構成することと、ＰＤＣＰ構成情報に従ってＰＤＣＰを再構成することと、ＲＬＣ構成情報に従ってＲＬＣを再構成することと、論理チャネル構成情報に従って論理チャネルを再構成することとのうちの少なくとも一つを実行し、ＤＲＢ解放リスト内のＤＲＢ  ＩＤに従ってＤＲＢ解放リスト内のＤＲＢ  ＩＤに対応するＤＲＢを解放する。
【０１１２】
本開示の実施形態は、ハンドオーバ方法を提供する。この実施形態では、ターゲット基地局が、すべてのＤＲＢ情報項目のすべてのＤＲＢを確立することに同意し、ＤＲＢとＱｏＳ  ＩＤの間の相関関係を変更する。この方法は、下記で説明されるステップを含む。
【０１１３】
ステップ１で、ソース基地局が、ハンドオーバ要求メッセージをターゲット基地局に送信する。ハンドオーバ要求メッセージは、アクセスネットワーク側でのソース基地局の一つ以上のＤＲＢ情報項目及びコアネットワーク側の一つ以上のフローＱｏＳ情報項目を運ぶ。
【０１１４】
ステップ２で、ターゲット基地局がハンドオーバ要求メッセージを受信し、ハンドオーバ要求に同意し、すべてのＤＲＢの情報内のＤＲＢを確立することに同意し、ＤＲＢとＱｏＳ  ＩＤの間の相関関係を変更し（例えば、ハンドオーバ要求メッセージが二つのＤＲＢ（すなわち、ＤＲＢ１及びＤＲＢ２）を含んでおり、ＤＲＢ１がＱｏＳ  ＩＤ１及びＱｏＳ  ＩＤ２に関連付けられ、ＤＲＢ２がＱｏＳ  ＩＤ３及びＱｏＳ  ＩＤ４に関連付けられる。相関関係が変更された後に、ＤＲＢ１がＱｏＳ  ＩＤ２に関連付けられ、ＤＲＢ２がＱｏＳ  ＩＤ１、ＱｏＳ  ＩＤ３、及びＱｏＳ  ＩＤ４に関連付けられる）、ハンドオーバ要求情報によって運ばれる情報及びＤＲＢとＱｏＳ  ＩＤの間の変更された相関関係に従って第１のＤＲＢ構成情報を生成し、ターゲット基地局が確立することに同意するＤＲＢ情報項目のＤＲＢに対応するＤＲＢ構成情報をＤＲＢ追加変更リストに入れる。第１のＤＲＢ構成情報は、ＤＲＢ追加変更リストを含む。ＤＲＢ追加変更リスト内の各ＤＲＢ構成情報は、ＤＲＢ  ＩＤ、ＤＲＢとＱｏＳ  ＩＤの間の相関関係が変更された後にＤＲＢに関連付けられた一つ以上のＱｏＳ  ＩＤ、並びにＰＤＣＰ構成情報、ＲＬＣ構成情報、及び論理チャネル構成情報のうちの一つ以上を含む。
【０１１５】
ステップ３で、ターゲット基地局が、ハンドオーバ要求確認応答メッセージをソース基地局に送信する。ハンドオーバ要求確認応答メッセージは、第１のＤＲＢ構成情報及びターゲット基地局が確立することに同意するＤＲＢ追加変更リストを運ぶ（ＤＲＢ追加変更リスト内の各項は、ＤＲＢ  ＩＤ、及びＤＲＢ  ＩＤに対応するＤＲＢに関連付けられた一つ以上のフローＩＤ又はＱｏＳ  ＩＤを含む）。
【０１１６】
ステップ４で、ソース基地局が、ハンドオーバ要求確認応答メッセージを受信し、ＲＲＣ接続再構成メッセージをＵＥに送信する。ＲＲＣ接続再構成メッセージは、ターゲット基地局のＤＲＢ構成情報を運ぶ。
【０１１７】
ステップ５で、ＵＥがＲＲＣ接続再構成メッセージを受信し、ＤＲＢ構成情報のＤＲＢ追加変更リスト内の各項に対応するＤＲＢに従って、ＰＤＣＰを再構成することと、ＲＬＣを再構成することと、ＰＤＣＰ構成情報に従ってＰＤＣＰを再構成することと、ＲＬＣ構成情報に従ってＲＬＣを再構成することと、論理チャネル構成情報に従って論理チャネルを再構成することとのうちの少なくとも一つを実行する。加えて、ＵＥは、第１のＤＲＢ構成情報に従ってＤＲＢとＱｏＳ  ＩＤの間の相関関係を再構成する。
【０１１８】
本開示の実施形態は、ハンドオーバ方法を提供する。この実施形態では、ターゲット基地局が、複数のＤＲＢの情報内のＤＲＢの一部を確立することに同意し、ＤＲＢとＱｏＳ  ＩＤの間の相関関係を変更する。この方法は、下記で説明されるステップを含む。
【０１１９】
ステップ１で、ソース基地局がハンドオーバ要求メッセージをターゲット基地局に送信し、このハンドオーバ要求メッセージは、アクセスネットワーク側でのソース基地局の複数のＤＲＢ情報項目及びコアネットワーク側の一つ以上のフローＱｏＳ情報項目を運ぶ。
【０１２０】
ステップ２で、ターゲット基地局がハンドオーバ要求メッセージを受信し、ハンドオーバ要求に同意し、複数のＤＲＢの情報内のＤＲＢの一部を確立することに同意し、ＤＲＢとＱｏＳ  ＩＤの間の相関関係を変更し（例えば、ハンドオーバ要求メッセージが三つのＤＲＢ（すなわち、ＤＲＢ１、ＤＲＢ２、及びＤＲＢ３）を含んでおり、ＤＲＢ１がＱｏＳ  ＩＤ１及びＱｏＳ  ＩＤ２に関連付けられ、ＤＲＢ２がＱｏＳ  ＩＤ３に関連付けられ、ＤＲＢ３がＱｏＳ  ＩＤ４及びＱｏＳ  ＩＤ５に関連付けられる。ターゲット基地局が、ＤＲＢ１及びＤＲＢ２のみを確立することに同意する。相関関係が変更された後に、ＤＲＢ１がＱｏＳ  ＩＤ１及びＱｏＳ  ＩＤ２に関連付けられ、ＤＲＢ２がＱｏＳ  ＩＤ３及びＱｏＳ  ＩＤ５に関連付けられ、ＤＲＢ３が解放され、ＱｏＳ  ＩＤ４がどのＤＲＢにも関連付けられない）、ハンドオーバ要求情報によって運ばれる情報に従って、第１のＤＲＢ構成情報を生成する。第１のＤＲＢ構成情報は、ＤＲＢ追加変更リスト及びＤＲＢ解放リストを含む。
【０１２１】
ターゲット基地局が、ターゲット基地局が確立することに同意するＤＲＢ情報項目の第１のＤＲＢに対応するＤＲＢ構成情報を、ＤＲＢ追加変更リストに入れ、ターゲット基地局が確立することに同意しないＤＲＢ情報項目の第２のＤＲＢに対応するＤＲＢ識別子を、ＤＲＢ解放リストに入れる。
【０１２２】
ＤＲＢ追加変更リストは、複数のＤＲＢの情報内のターゲット基地局が確立することに同意する第１のＤＲＢに対応するＤＲＢ構成情報を含む。各ＤＲＢ情報項目は、第１のＤＲＢ  ＩＤ、相関関係が変更された後に第１のＤＲＢ  ＩＤに対応するＤＲＢに関連付けられた一つ以上のＱｏＳ  ＩＤ、並びにＰＤＣＰ構成情報、ＲＬＣ構成情報、及び論理チャネル構成情報のうちの一つ以上を含む。ＤＲＢ解放リストは、ターゲット基地局が確立することに同意しないＤＲＢに対応するＤＲＢ  ＩＤを含む。
【０１２３】
ステップ３で、ターゲット基地局が、ハンドオーバ要求確認応答メッセージをソース基地局に送信する。ハンドオーバ要求確認応答メッセージは、第１のＤＲＢ構成情報、ターゲット基地局が確立することに同意するＤＲＢのＤＲＢ追加変更リスト（ＤＲＢ追加変更リスト内の各項は、第１のＤＲＢ  ＩＤ及び第１のＤＲＢ  ＩＤに対応するＤＲＢに関連付けられた一つ以上のＱｏＳ  ＩＤを含む）、ターゲット基地局が確立することに同意しないＤＲＢのＤＲＢ解放リスト（ＤＲＢ解放リスト内の各項は、第２のＤＲＢ  ＩＤを含む）、及び複数のＤＲＢの情報内のどのＤＲＢにも関連付けられないＱｏＳ  ＩＤを含んでいるＱｏＳ  ＩＤリストを運ぶ。
【０１２４】
ステップ４で、ソース基地局がハンドオーバ要求確認応答メッセージを受信し、ＲＲＣ接続再構成メッセージをＵＥに送信し、このＲＲＣ接続再構成メッセージが、ターゲット基地局のＤＲＢ構成情報を運ぶ。
【０１２５】
ステップ４ａで、コアネットワークが関連する応答動作を実行するように、ソース基地局が、ＱｏＳ  ＩＤリストをコアネットワークに送信する（ソース基地局は、ＵＥがターゲット基地局に連続的にアクセスした後に、ＱｏＳ  ＩＤリストをコアネットワークに送信するように、ターゲット基地局を操作してもよい）。
【０１２６】
ステップ５で、ＵＥがＲＲＣ接続再構成メッセージを受信し、ＤＲＢ構成情報のＤＲＢ追加変更リスト内の各項目に対応するＤＲＢに従って、ＰＤＣＰを再構成することと、ＲＬＣを再構成することと、ＰＤＣＰ構成情報に従ってＰＤＣＰを再構成することと、ＲＬＣ構成情報に従ってＲＬＣを再構成することと、論理チャネル構成情報に従って論理チャネルを再構成することとのうちの少なくとも一つを実行する。ＵＥは、第１のＤＲＢ構成情報に従ってＤＲＢとＱｏＳ  ＩＤの間の相関関係も再構成する。ＵＥが、ＤＲＢ解放リスト内のＤＲＢ  ＩＤに従って、ＤＲＢ  ＩＤに対応するＤＲＢを解放する。
【０１２７】
上記の実施形態では、５Ｇシステムにおいて、コアネットワーク及びアクセスネットワークが異なるＱｏＳメカニズムを採用し、進化型ｅＮＢ及び５Ｇ基地局が互いのＲＲＣプロトコルを識別できない場合、前述した方法は、進化型ｅＮＢと５Ｇ基地局の間のＸｎインターフェイス上で、ＱｏＳを保証できるハンドオーバを実施できる。
【０１２８】
本開示の実施形態は、下記で説明されるステップを実行するためのプログラムコードを格納するように構成されたストレージ媒体を提供する。
【０１２９】
ハンドオーバ要求メッセージがターゲット基地局に送信され、このハンドオーバ要求メッセージは、ＵＥのソース基地局によって構成された一つ以上のＤＲＢ情報項目及びＵＥのコアネットワーク側によって構成された一つ以上のフローＱｏＳ情報項目の情報を運ぶ。
【０１３０】
ターゲット基地局によって送信されたハンドオーバ要求確認応答メッセージが受信され、このハンドオーバ要求確認応答メッセージが、ＵＥのターゲット基地局によってハンドオーバ要求メッセージに従って生成された第１のＤＲＢ構成情報を運ぶ。
【０１３１】
第１のＤＲＢ構成情報を運ぶＲＲＣ接続再構成メッセージがＵＥに送信され、ＵＥがこのメッセージを使用して無線リソースを構成する。
【０１３２】
任意選択的に、この実施形態では、ストレージ媒体が、Ｕディスク、ＲＯＭ、ＲＡＭ、モバイルハードディスク、磁気ディスク、光ディスク、又はプログラムコードを格納できる別の媒体を含んでよい。任意選択的に、ソース基地局内のプロセッサは、ストレージ媒体に格納されたプログラムコードに従って次のステップを実行する。
【０１３３】
ハンドオーバ要求メッセージがターゲット基地局に送信され、このハンドオーバ要求メッセージは、ＵＥのソース基地局によって構成された一つ以上のＤＲＢ情報項目及びＵＥのコアネットワーク側によって構成された一つ以上のフローＱｏＳ情報項目を運ぶ。
【０１３４】
ターゲット基地局によって送信されたハンドオーバ要求確認応答メッセージが受信され、このハンドオーバ要求確認応答メッセージが、ＵＥのターゲット基地局によってハンドオーバ要求メッセージに従って生成された第１のＤＲＢ構成情報を運ぶ。
【０１３５】
ＵＥが、第１のＤＲＢ構成情報を運ぶＲＲＣ接続再構成メッセージを送信し、ＵＥが、ＤＲＢ構成情報を使用することによって無線リソースを構成する。
【０１３６】
前述した一つ以上のモジュール又は一つ以上のステップは、汎用コンピューティングデバイスによって実装されてよい。それらのモジュール又はステップは、単一のコンピューティングデバイス上に集中されるか、又は複数のコンピューティングデバイスによって形成されたネットワーク上で分散されてよい。任意選択的に、それらのモジュール又はステップは、ストレージデバイスに格納されてコンピューティングデバイスによって実行できるように、コンピューティングデバイスによって実行可能なプログラムコードによって実装されてよい。一部の環境では、図に示されたか、又は説明されたステップは、本明細書に記載された順序とは異なる順序で実行されてよく、或いは一つ以上のモジュール又は一つ以上のステップは、さまざまな集積回路モジュールに作成されてよく、或いは各モジュール又はモジュール内のステップは、単一の集積回路モジュールに作成されてよい。
【０１３７】
一実施形態は、ソース基地局のハードウェア構造を示す概略図を提供する。図１０を参照すると、ソース基地局は、
【０１３８】
少なくとも一つのプロセッサ１０００（図１０は、例として一つのプロセッサ１０００を示している）及びメモリ１００１を含む。ソース基地局は、通信インターフェイス１００２及びバス１００３をさらに含んでよい。プロセッサ１０００、メモリ１００１、及び通信インターフェイス１００２は、バス１００３を介して互いに通信してよい。プロセッサ１０００は、メモリ１００１内の論理命令を使用して、上記の実施形態のソース基地局によって実行される方法を実行してよい。
【０１３９】
加えて、メモリ１００１内の論理命令は、ソフトウェア機能ユニットの形態で実装されてよく、独立した製品として販売又は使用される場合、コンピュータ可読記憶媒体に格納されてよい。
【０１４０】
メモリ１００１は、コンピュータ可読記憶媒体として、上記の実施形態においてソース基地局によって実行される方法に対応するプログラム命令又はモジュールなどの、ソフトウェアプログラム及びコンピュータ可読プログラムを格納するために使用されてよい。プロセッサ１０００は、メモリ１００１に格納されたソフトウェアプログラム、命令、又はモジュールを実行して、機能適用及びデータ処理を実行する（すなわち、上記の実施形態においてソース基地局によって実行される方法を実施する）。
【０１４１】
メモリ１００１は、プログラム記憶領域及びデータ記憶領域を含んでよい。プログラム記憶領域は、少なくとも一つの機能によって必要とされるオペレーティングシステム及びアプリケーションプログラムを格納してよく、データ記憶領域は、端末デバイスの使用に応じて作成されるデータを格納してよい。加えて、メモリ１００１は、高速なランダムアクセスメモリを含んでよく、不揮発性メモリをさらに含んでよい。
【０１４２】
一実施形態は、ターゲット基地局のハードウェア構造を示す概略図を提供する。図１１を参照すると、ターゲット基地局は、
【０１４３】
少なくとも一つのプロセッサ１１０（図１１は、例として一つのプロセッサ１１０を示している）及びメモリ１１１を含む。ターゲット基地局は、通信インターフェイス１１２及びバス１１３をさらに含んでよい。プロセッサ１１０、メモリ１１１、及び通信インターフェイス１１２は、バス１１３を介して互いに通信してよい。プロセッサ１１０は、メモリ１１１内の論理命令を呼び出して、上記の実施形態のターゲット基地局によって実行される方法を実行してよい。
【０１４４】
加えて、メモリ１１１内の論理命令は、ソフトウェア機能ユニットの形態で実装されてよく、独立した製品として販売又は使用される場合、コンピュータ可読記憶媒体に格納されてよい。
【０１４５】
メモリ１１１は、コンピュータ可読記憶媒体として、上記の実施形態においてターゲット基地局によって実行される方法に対応するプログラム命令又はモジュールなどの、ソフトウェアプログラム及びコンピュータ可読プログラムを格納するために使用されてよい。プロセッサ１１０は、メモリ１１１に格納されたソフトウェアプログラム、命令、又はモジュールを実行して、機能適用及びデータ処理を実行する（すなわち、上記の実施形態においてターゲット基地局によって実行される方法を実施する）。
【０１４６】
メモリ１１１は、プログラム記憶領域及びデータ記憶領域を含んでよい。プログラム記憶領域は、少なくとも一つの機能によって必要とされるオペレーティングシステム及びアプリケーションプログラムを格納してよく、データ記憶領域は、端末デバイスの使用に応じて作成されるデータを格納してよい。加えて、メモリ１１１は、高速なランダムアクセスメモリを含んでよく、不揮発性メモリをさらに含んでよい。
【０１４７】
一実施形態は、ユーザ機器のハードウェア構造を示す概略図を提供する。図１２を参照すると、ユーザ機器は、少なくとも一つのプロセッサ１２０（図１２は、例として一つのプロセッサ１２０を示している）及びメモリ１２１を含む。ユーザ機器は、通信インターフェイス１２２及びバス１２３をさらに含んでよい。プロセッサ１２０、メモリ１２１、及び通信インターフェイス１２２は、バス１２３を介して互いに通信してよい。プロセッサ１２０は、メモリ１２１内の論理命令を呼び出して、上記の実施形態のユーザ機器によって実行される方法を実行してよい。
【０１４８】
加えて、メモリ１２１内の論理命令は、ソフトウェア機能ユニットの形態で実装されてよく、独立した製品として販売又は使用される場合、コンピュータ可読記憶媒体に格納されてよい。
【０１４９】
メモリ１２１は、コンピュータ可読記憶媒体として、上記の実施形態においてユーザ機器（ＵＥ）によって実行される方法に対応するプログラム命令又はモジュールなどの、ソフトウェアプログラム及びコンピュータ可読プログラムを格納するために使用されてよい。プロセッサ１２０は、メモリ１２１に格納されたソフトウェアプログラム、命令、又はモジュールを実行して、機能適用及びデータ処理を実行する（すなわち、上記の実施形態においてユーザ機器（ＵＥ）によって実行される方法を実施する）。
【０１５０】
メモリ１２１は、プログラム記憶領域及びデータ記憶領域を含んでよい。プログラム記憶領域は、少なくとも一つの機能によって必要とされるオペレーティングシステム及びアプリケーションプログラムを格納してよく、データ記憶領域は、端末デバイスの使用に応じて作成されるデータを格納してよい。加えて、メモリ１２１は、高速なランダムアクセスメモリを含んでよく、不揮発性メモリをさらに含んでよい。
【産業上の利用可能性】
【０１５１】
ハンドオーバ方法及び装置は、基地局がハンドオーバされているときに、コアネットワークによって採用されたＱｏＳメカニズムと、アクセスネットワークによって採用されたＱｏＳメカニズムが異なるという問題を、解決することができる。
【図１】
2019533385.tif 000003
【図２】
2019533385.tif 000004
【図３】
2019533385.tif 000005
【図４】
2019533385.tif 000006
【図５】
2019533385.tif 000007
【図６】
2019533385.tif 000008
【図７】
2019533385.tif 000009
【図８】
2019533385.tif 000010
【図９】
2019533385.tif 000011
【図１０】
2019533385.tif 000012
【図１１】
2019533385.tif 000013
【図１２】
2019533385.tif 000014
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
ソース基地局によってハンドオーバ要求メッセージをターゲット基地局に送信することであって、前記ハンドオーバ要求メッセージが、一つ以上のデータ無線ベアラ（ＤＲＢ）情報項目及び一つ以上のフローサービス品質（ＱｏＳ）情報項目を運ぶことと、
前記ターゲット基地局からのハンドオーバ要求確認応答メッセージを、前記ソース基地局によって受信することであって、前記ハンドオーバ要求確認応答メッセージが、前記ハンドオーバ要求メッセージに従ってユーザ機器（ＵＥ）のＤＲＢ構成情報を運ぶこととを含んでいる、ハンドオーバ方法。
【請求項２】
各フローＱｏＳ情報項目が、前記フローサービス品質情報項目を示すための識別子情報を含んでおり、前記識別子情報が、フロー識別子（フローＩＤ）を含んでいる、請求項１に記載の方法。
【請求項３】
各フローＱｏＳ情報項目がサービス品質（ＱｏＳ）ルールを含んでおり、前記ＱｏＳルールが、保証フロービットレート、最大フロービットレート、フロー優先度レベル（ＦＰＬ）、及び反射ＱｏＳ指示を含んでいる、請求項１に記載の方法。
【請求項４】
各ＤＲＢ情報項目がＤＲＢ識別子（ＤＲＢ  ＩＤ）を含んでいる、請求項２に記載の方法。
【請求項５】
ソース基地局からのハンドオーバ要求メッセージをターゲット基地局によって受信することであって、前記ハンドオーバ要求メッセージが、一つ以上のデータ無線ベアラ（ＤＲＢ）情報項目及び一つ以上のフローサービス品質（ＱｏＳ）情報項目を運ぶことと、
ユーザ機器（ＵＥ）の前記ターゲット基地局によって前記ハンドオーバ要求メッセージに従ってＤＲＢ構成情報を生成することとを含んでいる、ハンドオーバ方法。
【請求項６】
前記ＤＲＢ構成情報が、
ＤＲＢ識別子（ＩＤ）、パケットデータ収束プロトコル（ＰＤＣＰ）構成情報、無線リンク制御（ＲＬＣ）構成情報、及び論理チャネル構成情報を含んでいる、請求項５に記載の方法。
【請求項７】
ソース基地局に適用されるハンドオーバ装置であって、
ハンドオーバ要求メッセージをターゲット基地局に送信することであって、前記ハンドオーバ要求メッセージが、一つ以上のＤＲＢ情報項目及び一つ以上のフローＱｏＳ情報項目を運ぶことと、
前記ターゲット基地局からハンドオーバ要求確認応答メッセージを受信することであって、前記ハンドオーバ要求確認応答メッセージが、前記ハンドオーバ要求メッセージに従ってユーザ機器（ＵＥ）のＤＲＢ構成情報を運ぶこととを実行するように構成されたプロセッサを備えている、ハンドオーバ装置。
【請求項８】
各フローＱｏＳ情報項目が、前記フローサービス品質情報項目を示すための識別子情報を含んでおり、前記識別子情報が、フロー識別子（フローＩＤ）を含んでいる、請求項７に記載の装置。
【請求項９】
ターゲット基地局に適用されるハンドオーバ装置であって、
ソース基地局からのハンドオーバ要求メッセージを受信することであって、前記ハンドオーバ要求メッセージが、一つ以上のデータ無線ベアラ（ＤＲＢ）情報項目及び一つ以上のフローサービス品質（ＱｏＳ）情報項目を運ぶことと、
前記ハンドオーバ要求メッセージに従ってユーザ機器（ＵＥ）のＤＲＢ構成情報を生成することとを実行するように構成されたプロセッサを備えている、ハンドオーバ装置。
【請求項１０】
前記ＵＥの前記ソース基地局によって、前記ＤＲＢ構成情報を運ぶ無線リソース制御（ＲＲＣ）接続再構成メッセージを送信することをさらに含んでいる、請求項１に記載の方法。
【請求項１１】
各ＤＲＢ情報項目が、前記ＤＲＢ  ＩＤに対応する前記ＤＲＢに関連付けられた前記フローＩＤを含んでいる、請求項４に記載の方法。
【請求項１２】
前記ターゲット基地局によって、前記ＤＲＢ構成情報を運ぶハンドオーバ要求確認応答メッセージを前記ソース基地局に送信することをさらに含んでいる、請求項５に記載の方法。
【請求項１３】
各フローＱｏＳ情報項目が、前記フローサービス品質情報項目を示すための識別子情報を含んでおり、前記識別子情報が、フロー識別子（フローＩＤ）を含んでいる、請求項５に記載の方法。
【請求項１４】
各フローＱｏＳ情報項目がサービス品質（ＱｏＳ）ルールを含んでおり、前記ＱｏＳルールが保証フロービットレート、最大フロービットレート、フロー優先度レベル（ＦＰＬ）、及び反射ＱｏＳ指示を含んでいる、請求項５に記載の方法。
【請求項１５】
各フローＱｏＳ情報項目がサービス品質（ＱｏＳ）ルールを含んでおり、前記ＱｏＳルールが保証フロービットレート、最大フロービットレート、フロー優先度レベル（ＦＰＬ）、及び反射ＱｏＳ指示を含んでいる、請求項７に記載の装置。
【請求項１６】
各ＤＲＢ情報項目が、
ＤＲＢ識別子（ＤＲＢ  ＩＤ）、パケットデータ収束プロトコル（ＰＤＣＰ）、無線リンク制御（ＲＬＣ）、及び論理チャネルの構成パラメータを含んでいる、請求項８に記載の装置。
【請求項１７】
各ＤＲＢ情報項目が、前記ＤＲＢ  ＩＤに対応する前記ＤＲＢに関連付けられた前記フローＩＤを含んでいる、請求項１６に記載の装置。
【請求項１８】
前記プロセッサが、
前記ＵＥの前記ソース基地局によって、前記ＤＲＢ構成情報を運ぶ無線リソース制御（ＲＲＣ）接続再構成メッセージを送信するようにさらに構成されている、請求項７に記載の装置。
【請求項１９】
前記ＤＲＢ構成情報が、
ＤＲＢ識別子（ＩＤ）、パケットデータ収束プロトコル（ＰＤＣＰ）構成情報、無線リンク制御（ＲＬＣ）構成情報、及び論理チャネル構成情報を含んでいる、請求項９に記載の装置。
【請求項２０】
前記プロセッサが、
前記ターゲット基地局によって、前記ＤＲＢ構成情報を運ぶハンドオーバ要求確認応答メッセージを前記ソース基地局に送信するようにさらに構成されている、請求項９に記載の装置。
【請求項２１】
各フローＱｏＳ情報項目が、前記フローサービス品質情報項目を示すための識別子情報を含んでおり、前記識別子情報が、フロー識別子（フローＩＤ）を含んでいる、請求項９に記載の装置。
【請求項２２】
各フローＱｏＳ情報項目がサービス品質（ＱｏＳ）ルールを含んでおり、前記ＱｏＳルールが保証フロービットレート、最大フロービットレート、フロー優先度レベル（ＦＰＬ）、及び反射ＱｏＳ指示を含んでいる、請求項９に記載の装置。
【国際調査報告】
2019533385.tif 000015
2019533385.tif 000016
2019533385.tif 000017
2019533385.tif 000018